(57)【特許請求の範囲】
【請求項１】
複数のサービスのコンテンツを放送する放送システムにおいて、受信側でコンテンツ視聴時に再生される各コンテンツの高品質データと、受信側で視聴するコンテンツの変更時に変更後のコンテンツの高品質データが再生されるまでの間に表示される各コンテンツの低品質データとを多重して送信する伝送方法であって、
第1のコンテンツの高品質データと、第２のコンテンツの高品質データと、前記第１のコンテンツに関する低品質データ及び前記第２のコンテンツに関する低品質データとを多重して伝送ストリームを生成し、
前記伝送ストリームを送信し、
前記伝送ストリームには、前記第１のコンテンツの高品質データを含むパケット群が伝送される期間である第１のタイムスライスと前記第２のコンテンツの高品質データを含むパケット群が伝送される期間である第２のタイムスライスとがそれぞれ周期的に含まれ、
複数の周期に亘る前記第１のタイムスライスの中では、前記第１のコンテンツに関する低品質データと前記第２のコンテンツに関する低品質データの両方が伝送されており、
複数の周期に亘る前記第２のタイムスライスの中では、前記第１のコンテンツに関する低品質データと前記第２のコンテンツに関する低品質データの両方が伝送されている伝送方法。
【請求項２】
前記第１のコンテンツに関する高品質データは、前記第１のコンテンツの低圧縮率の動画データと音声データとを含み、
前記第２のコンテンツに関する高品質データは、前記第２のコンテンツの低圧縮率の動画データと音声データとを含み、
前記第１のコンテンツに関する低品質データは、前記第１のコンテンツの高圧縮率の動画データと音声データとを含み、
前記第２のコンテンツに関する低品質データは、前記第２のコンテンツの高圧縮率の動画データと音声データとを含むことを特徴とする請求項１記載の伝送方法。
【請求項３】
前記第１のコンテンツに関する高品質データは、前記第１のコンテンツの動画データと音声データとを含み、
前記第２のコンテンツに関する高品質データは、前記第２のコンテンツの動画データと音声データとを含み、
前記第１のコンテンツに関する低品質データは、前記第１のコンテンツの静止画データと音声データとを含み、
前記第２のコンテンツに関する低品質データは、前記第２のコンテンツの静止画データと音声データとを含むことを特徴とする請求項１記載の伝送方法。
【請求項４】
前記第１のコンテンツに関する高品質データは、前記第１のコンテンツの動画データと音声データとを含み、
前記第２のコンテンツに関する高品質データは、前記第２のコンテンツの動画データと音声データとを含み、
前記第１のコンテンツに関する低品質データは、前記第１のコンテンツに関するテキストデータを含み、
前記第２のコンテンツに関する低品質データは、前記第２のコンテンツに関するテキストデータを含むことを特徴とする請求項１記載の伝送方法。
【請求項５】
前記第１のコンテンツに関する高品質データは、前記第１のコンテンツの動画データと音声データとを含み、
前記第２のコンテンツに関する高品質データは、前記第２のコンテンツの動画データと音声データとを含み、
前記第１のコンテンツに関する低品質データは、前記第１のコンテンツに関する音声データのみを含み、
前記第２のコンテンツに関する低品質データは、前記第２のコンテンツに関する音声データのみを含むことを特徴とする請求項１記載の伝送方法。
【請求項６】
複数のサービスのコンテンツを放送する放送システムにおいて用いられ、受信側でコンテンツ視聴時に再生される各コンテンツの高品質データと、受信側で視聴するコンテンツの変更時に変更後のコンテンツの高品質データが再生されるまでの間に表示される各コンテンツの低品質データとを多重して送信する送信装置であって、
第1のコンテンツの高品質データと、第２のコンテンツの高品位データと、前記第１のコンテンツに関する低品質データと前記第２のコンテンツに関する低品質データとを多重して伝送ストリームを生成するマルチプレクサと、
前記伝送ストリームを送信する送信部と、を含み、
前記伝送ストリームには、前記第１のコンテンツの高品位データのパケット群が伝送される期間である第１のタイムスライスと前記第２のコンテンツの高品位データのパケット群が伝送される期間である第２のタイムスライスとがそれぞれ周期的に含まれ、
複数の周期に亘る前記第１のタイムスライスの中では、前記第１のコンテンツに関する低品質データと前記第２のコンテンツに関する低品質データの両方が伝送されており、
複数の周期に亘る前記第２のタイムスライスの中では、前記第１のコンテンツに関する低品質データと前記第２のコンテンツに関する低品質データの両方が伝送されている送信装置。
【請求項７】
複数のサービスのコンテンツを放送する放送システムに用いられる受信方法であって、
第1のコンテンツの高品質データを含むパケット群が伝送される期間である第１のタイムスライスと、第２のコンテンツの高品質データを含むパケット群が伝送される期間である第２のタイムスライスとがそれぞれ周期的に含まれ、複数の周期に亘る前記第１のタイムスライスの中では、前記第１のコンテンツに関する低品質データと前記第２のコンテンツに関する低品質データの両方が伝送されており、複数の周期に亘る前記第２のタイムスライスの中では、前記第１のコンテンツに関する低品質データと前記第２のコンテンツに関する低品質データの両方が伝送されている伝送ストリームのうち、ユーザの指定するコンテンツの高品質データが伝送されるタイムスライスを間欠的に受信して復調し、
前記ユーザの指定するコンテンツの高品質データと、前記第１のコンテンツに関する低品質データと前記第２のコンテンツに関する低品質データの両方とを蓄積し、
前記ユーザの指定するコンテンツの高品質データの再生中にユーザの指定するコンテンツが変更されると、変更後のユーザの指定するコンテンツの高品質データが再生可能となるまでの間に前記変更後のユーザの指定するコンテンツの低品質データを表示する、受信方法。
【請求項８】
複数のサービスのコンテンツを放送する放送システムに用いられる受信装置であって、
第1のコンテンツの高品質データを含むパケット群が伝送される期間である第１のタイムスライスと、第２のコンテンツの高品質データを含むパケット群が伝送される期間である第２のタイムスライスとがそれぞれ周期的に含まれ、複数の周期に亘る前記第１のタイムスライスの中では、前記第１のコンテンツに関する低品質データと前記第２のコンテンツに関する低品質データの両方が伝送されており、複数の周期に亘る前記第２のタイムスライスの中では、前記第１のコンテンツに関する低品質データと前記第２のコンテンツに関する低品質データの両方が伝送されている伝送ストリームのうち、ユーザの指定するコンテンツの高品質データが伝送されるタイムスライスを間欠的に受信して復調する復調部と、
前記ユーザの指定するコンテンツの高品質データと、前記第１のコンテンツに関する低品質データと前記第２のコンテンツに関する低品質データの両方とを蓄積する蓄積部と、
前記ユーザの指定するコンテンツの高品質データの再生中にユーザの指定するコンテンツが変更されると、変更後のユーザの指定するコンテンツの高品質データが再生可能となるまでの間に前記変更後のユーザの指定するコンテンツの低品質データを表示する再生部と、を備える受信装置。
【発明の詳細な説明】
【技術分野】
【０００１】
本発明は、携帯端末向けデジタル放送に関し、より特定的には、携帯端末向けデジタルデータ放送の伝送方法及び装置に関する。
【背景技術】
【０００２】
欧州の地上波デジタル放送の伝送方式は、ＥＴＳＩで規格化されている。（ＤＶＢ−Ｔ  ＥＮ  ３００  ４７７参照）。しかしながら、日本国内規格（ＡＲＩＢ  ＳＴＤ−Ｂ３１他）のようなセグメント別の部分受信をサポートしていないため、ＤＶＢ−Ｔ方式の放送を携帯端末で受信する場合は、ＳＴＢ等の固定端末と同様に、全信号を受信する必要があり、電源容量に制限がある携帯端末では多くの電力を消費し、連続再生時間が短くなるなど実用性に問題があった。
【０００３】
そこで文献ＥＰ１３３７０７１Ａ２では、図１１に示すように、同一サービスのパケットをパケットセットにまとめ、それぞれのパケットセットをデータバースト１０として高速度で短時間に伝送し、１つのパケットサービスを伝送中は他のサービスのパケットセットを混ぜないように順に各サービスのパケットセットを伝送している。
【０００４】
受信機では、所望のサービスが伝送されているパケットセット送信期間のみ、受信部の電源供給を行うことで、低消費電力を実現している。（以下タイムスライス方式と呼ぶ）
【０００５】
しかしながら、このタイムスライス方式では、受信機は電源投入後の選局時や、他のサービスへのチャンネル選局を行う際、該当するサービスのパケットセットが送信されるまでの数秒間は、コンテンツの再生が始まらないという問題がある。
【特許文献１】ＥＰ１３３７０７１Ａ２号公報
【発明の開示】
【発明が解決しようとする課題】
【０００６】
上述したように、タイムスライス方式では、データをバースト伝送しているため、選局時、サービスの再生が開始されるまで待ち時間が発生し、ザッピング視聴がスムーズにできないという問題がある。
本発明は、上記従来の問題点を解決するもので、ザッピング時に、コンテンツが含まれるタイムスライスとザッピング用データとを選択的に受信することで再生が開始されるまでの待ち時間を短縮することを目的とする。
【課題を解決するための手段】
【０００７】
本発明は、放送システムにおける伝送方法であって、サービス毎に単一コンテンツからなるパケットセットをバースト伝送する第１のストリーム（間欠データ部）を生成するステップと、サービスに必要な伝送速度に準じた速度でパケットを送信する第２のストリーム（連続データ部）を生成するステップとを、具備し、第２のストリームは、第１のストリームで送信されているコンテンツに関連する情報を伝送していることを特徴とする伝送方法を提供する。ここで、バースト伝送とは、コンテンツを短期間に一括して伝送し、しばらくの間送信を停止する伝送のことをいう。
【０００８】
本発明の一実施態様において、前記第１のストリームは、複数のサービス向けの間欠データが順に送信され、前記第２のストリームは、前記第１のストリーム間欠データ部で送信されているすべて、もしくは一部のサービスで送信されているコンテンツと同等のコンテンツが送信されている。
【０００９】
本発明の一実施態様において、前記第１のストリームは、高品質のデータ、第２のストリームには、第１のストリームと同じコンテンツであるが情報量の少ない高圧縮率のデータを伝送する。
【００１０】
本発明の第２のストリームは、第１のストリームの内容に基づく関連データであり、第２のストリームのデータ量が第１のストリームのデータ量よりも少ないともいえる。例えば、第２のストリームとは、第１のストリームを生成する際の圧縮率よりも大きい圧縮率で生成されるストリームである。
【００１１】
本発明の一実施態様において、前記第１のストリームは、高品質の音声および動画を含むデータを含み、前記第２のストリームには、前記第１のストリームに関連する静止画または音声の少なくとも一方を含む。
【００１２】
本発明の一実施態様において、前記第１のストリーム、前記第２のストリームの少なくとも一方には、前記第２のストリームと、前記第１のストリームで送信されているコンテンツの関連を示す情報フィールドを含む。
【００１３】
本発明の一実施態様において、前記第２のストリームと、前記第１のストリームで送信されているコンテンツの関連を示す情報フィールドは第３のストリームに含む。
【００１４】
本発明の一実施態様において、前記第２のストリームと、前記第１のストリームで送信されているコンテンツの関連を示す情報フィールドはＰＳＩのＰＭＴに含まれる。
【００１５】
本発明の一実施態様において、前記パケットセットの送出時刻から次のパケットセットの送信時刻間での時間情報フィールドは、前記第２ストリーム内に含む。
【００１６】
本発明はまた、サービス毎に単一コンテンツからなるパケットセットをバースト伝送する伝送方式であって、サービス毎に単一コンテンツからなる第１の形式のパケットセットを生成するステップと、第１の形式のパケットセットで伝送されるすべて、もしくは一部のサービスと、同等または関連するコンテンツが含まれている第２の形式のパケットセットを生成するステップと、第１の形式のパケットセットと、第２の形式のパケットセットを、第１のストリームにおいて順に伝送するステップと、を含むことを特徴とするコンテンツ伝送方法を提供する。
【００１７】
本発明の一実施態様において、前記第１の形式のパケットセットは、高品質のデータ、前記第２の形式のパケットセットには、第１の形式のパケットセットと同じコンテンツであるが情報量の少ない高圧縮率のデータを伝送する。
【００１８】
本発明の一実施態様において、前記第１の形式のパケットセットは、高品質の音声および動画を含むデータ、第２の形式のパケットセットには、第１の形式のパケットセットに関連する静止画、音声の少なくとも一方を含む。
【００１９】
本発明の一実施態様において、前記第１の形式のパケットセット、前記第２の形式のパケットセットの少なくとも一方には、前記第２の形式のパケットセットと、前記第１の形式のパケットセットで送信されているコンテンツの関連を示す情報フィールドを含む。
【００２０】
本発明の一実施態様において、前記第２の形式のパケットセットと前記第１の形式のパケットセットで送信されているコンテンツの関連を示す情報フィールドは、独立した第２のストリームに含む。
【００２１】
本発明の一実施態様において、前記第２の形式のパケットセットと前記第１の形式のパケットセットで送信されているコンテンツの関連を示す情報フィールドは、ＰＳＩのＰＭＴに含まれる。
【００２２】
本発明の一実施態様において、前記第２の形式のパケットセットと前記第１の形式のパケットセットで送信されているコンテンツは、互いに同期したタイムスタンプを有する。
【００２３】
本発明の一実施態様において、前記第２の形式のパケットセットと前記第１の形式のパケットセットで送信されているコンテンツは、タイムスタンプのずれを表す情報を伝送している。
【００２４】
本発明は、パケットセットを十分高速な伝送速度で短時間に一括してバースト伝送する第１のストリームと、サービスに必要な伝送速度に応じた速度でパケットを送信する第２のストリームを、時分割信号多重して伝送し、第２のストリームは、たとえば第１のストリームと同一コンテンツの低品質データを伝送し、ザッピング中は、常に伝送されている第２のストリームを受信しコンテンツを再生し、ザッピング完了後は、バースト伝送される第１のストリームを受信し再生することを特徴とする。
【００２５】
更に、本発明は、放送システムにおける伝送装置であって、サービス毎に単一コンテンツからなるパケットセットをバースト伝送する第１のストリーム（間欠データ部）生成手段と、サービスに必要な伝送速度に準じた速度でパケットを送信する第２のストリーム（連続データ部）生成手段とを、具備し、第２のストリームは、第１のストリームで送信されているコンテンツに関連する情報を伝送していることを特徴とする伝送装置を提供する。
【００２６】
また、本発明は、サービス毎に単一コンテンツからなるパケットセットをバースト伝送する伝送方式であって、サービス毎に単一コンテンツからなる第１の形式のパケットセットを生成する手段と、第１の形式のパケットセットで伝送されるすべて、もしくは一部のサービスと、同等または関連するコンテンツが含まれている第２の形式のパケットセットを生成する手段と、第１の形式のパケットセットと、第２の形式のパケットセットを、第１のストリームにおいて順に伝送する手段と、を含むことを特徴とするコンテンツ伝送装置を提供する。
【００２７】
上記のように、本発明によれば、バースト伝送と常時伝送を併用することで、通常視聴時は、第１のストリームを間欠受信することで、消費電力を押さえることができ、またザッピング視聴などの選局動作中は、第２のストリームを再生することで、瞬時に他のコンテンツが視聴できる。
【００２８】
本発明はまた、上述の伝送方式またはコンテンツ伝送方式によって受信機に伝送する送信機、および上述の伝送方式またはコンテンツ伝送方式に関する伝送方法、およびこれらを実行するためのプログラム、およびこれらを記録した記録媒体を提供する。
【００２９】
本発明は、以下の「発明の実施の形態」および図面を用いて説明されるが、これは例示を目的としており、本発明はこれらに限定されることを意図しない。
【発明の効果】
【００３０】
本発明によれば、高品質なバーストデータと低品質な連続データを多重して伝送し、ザッピング視聴時に常時受信可能な連続データを再生することで、選局時の待ち時間を短縮することが出来る。また、タイムスタンプ同期または、補正することで、再生時の受信機のモード切替による影響を少なく出来る。
【発明を実施するための最良の形態】
【００３１】
発明の実施の形態では、間欠と連続の混在伝送のコンテンツ伝送方式について説明する。間欠伝送とは、映像信号および／または音声信号を含む信号を所定のプレゼンテーション期間Ｔｉｎ（例えば５秒）毎に高品質圧縮し、Ｔｉｎの１／Ｎ（Ｎは正の整数で、一例としてＮ＝３６）の時間で伝送する方式である。この場合、プレゼンテーション期間Ｔｉｎには、最大３６本の異なったサービス（たとえばテレビ３６チャンネル分のサービス）を時分割で送ることができ、期間Ｔｉｎ毎に新しい動画信号が送られる。ここでは、あるチャンネル又はプロバイダから送られてくるプログラムをサービスという。ある特定のサービス（例えばチャンネル１のプログラム）に注目すれば、動画信号は、期間Ｔｉｎ毎に送られるので、間欠伝送と言う。一方、連続伝送とは、１フレーム期間（たとえば（１／３０）秒）よりも短い期間Ｔｃｏｎ（約２３ｍｓ）毎に低品質圧縮した信号を伝送する方式である。本発明は、間欠伝送されるパケットと、連続伝送されるパケットが混在するひとつのストリームで送信する方式に関する。間欠伝送だけであれば、高品質画像を見ることができるが、サービスを切り替える毎に約５秒の待ち時間が必要となる。間欠伝送は、サービスを次々と切り替えて、見たいサービスを探す動作、すなわちザッピングを行うことには適していない。一方、連続伝送だけであれば、サービスを切り替えても待ち時間なく、切り替え先のサービスの映像をすぐに見ることができる。本発明においては、間欠伝送と連続伝送とを混在させているので、ザッピングを行っても待ち時間なく映像等のサービスを受けることができると共に、見たいサービスが見つかれば、そのサービスを高品質の画像で見ることができる。
【００３２】
なお、以下の本発明の処理はすべてソフトウェアで実現可能である。
（実施の形態１）
【００３３】
本発明の伝送方式に関する実施の形態について、ザッピング視聴の場合を例に挙げ、図面を参照しながら説明する。
図１は、本発明の送信信号の生成を説明する図である。
１は、デジタル放送ヘッドエンド、２，３，４，５，６は、サービスＳ１，Ｓ２，Ｓ３，Ｓ４，Ｓ５のコンテンツソースである。それぞれのコンテンツは高品質と低品質、の２種類の品質にエンコードされ、高品質のＩＰ（インターネットプロトコル）パケット７と、低品質のＩＰパケット７ｂが生成される。各コンテンツソースには、ＩＰパケット７を生成する高品質用エンコーダと、ＩＰパケット７ｂを生成する低品質用エンコーダが含まれ、それぞれ独立したリアルタイムエンコーダで構成される。高品質用エンコーダには、リアルタイムを示す内部時計ＣＬａを有する一方、低品質用エンコーダにも、リアルタイムを示す内部時計ＣＬｂを有する。言うまでもなく、内部時計ＣＬａの時刻と、内部時計ＣＬｂの時刻は、一致している。
【００３４】
同じコンテンツソース、例えばコンテンツソース２からのＩＰパケット７のそれぞれには、同じＩＰアドレスが割り振られる。コンテンツソースが異なると、すなわちサービスが異なると、ＩＰアドレスも異なる。なお、同じコンテンツソースからの高品質のＩＰパケット７と低品質のＩＰパケット７ｂとでは、同じＩＰアドレスを用いても良いし、異なったＩＰアドレスを用いても良い。
【００３５】
また、高品質用エンコーダは、映像信号および／または映像信号を含むコンテンツを、平均伝送レート３５０ｋｂｐｓでＭＰＥＧ４圧縮することができるものである。低品質用エンコーダは、同じコンテンツを、平均伝送レート６４ｋｂｐｓでＭＰＥＧ４圧縮することができるものである。
【００３６】
放送波の伝送帯域が約１５Ｍｂｐｓ程度である場合、ひとつのサービスに（３５０＋６４＝）４１４ｋｂｐｓ必要とすれば、（１５０００÷４１４≒）３６個のサービスを伝送することが出来る。上記の伝送レートや、ＭＰＥＧ４圧縮は、一例であり、別の伝送レートや、圧縮方式を用いても良い。
【００３７】
伝送レートなどのパラメータは、上述のものに限定するものではない。また、圧縮方法は、ＷｉｎｄｏｗｓＭｅｄｉａ方式やＱｕｉｃｋＴｉｍｅ方式、ＪＰＥＧ２０００方式などの方法であってもよい。
【００３８】
図１４を用いて、まず、高品質データについて説明する。平均伝送レート３５０ｋｂｐｓにＭＰＥＧ４圧縮された動画と音声データは、ＲＴＰ（リアルタイムトランスポートプロトコル）データとして生成され、ＲＴＰヘッダが付与される。ＲＴＰヘッダには送受信間で同期を取るためのタイムスタンプＴａが加えられる。ＲＴＰデータとＲＴＰヘッダがＲＴＰパケットに納められる。ＲＴＰパケットは、ＵＤＰ（ユーザデータグラムプロトコル）データとして生成され、ＵＤＰヘッダが付与される。ＤＵＰデータとＵＤＰヘッダがＵＤＰパケットに納められる。ＵＤＰパケットは、ＩＰデータとして生成され、ＩＰヘッダが付与される。ＩＰデータとＩＰヘッダがＩＰパケット７に納められる。
【００３９】
このように高品質エンコードされたＩＰパケット７は、図１に示す処理装置８に入力される。処理装置８は、コンテンツソースの数に対応した数のバッファを有している。図１の例では、５つのバッファＢ１，Ｂ２，Ｂ３，Ｂ４，Ｂ５を有しており、各バッファは、所定のプレゼンテーション期間Ｔｉｎ（例えば５秒）に相当するＩＰパケット７（例えば１１６３個のＩＰパケット）を蓄積することができる。ＩＰパケットは、ＭＰＥＧ圧縮されているので、実際の蓄積時間は、５秒ではなく、約（５／３６）秒である。
【００４０】
まず、バッファＢ１から期間Ｔｉｎに相当するサービスＳ１のＩＰパケット７が蓄積されれば、蓄積されたＩＰパケットは、順次、処理部ＰＰ１に送られる。処理部ＰＰ１では、図１４に示すように、ＩＰパケット７をＤＳＭ−ＣＣ（デジタルストーレッジメディアコマンドアンドコントロール）セクションに変換し、更にＴＳ（トランスポートストリーム）パケットに変換する。ＴＳパケットは、一定の長さ（例えば１８８バイト）で構成される。各ＴＳパケットには、ＴＳヘッダが先頭に含まれている。ＴＳヘッダには、ＴＳパケットの種類を特定するパケットＩＤ、すなわちＰＩＤが付与される。例えば、サービスＳ１を含むＴＳパケットのＰＩＤは、ＰＩＤ１が付与される。
【００４１】
なお、サービスＳ２を含むＴＳパケットのＰＩＤは、ＰＩＤ２、サービスＳ３を含むＴＳパケットのＰＩＤは、ＰＩＤ３、のように、同じサービスのデータを含むＴＳパケットには、同じＰＩＤが付与される。ＩＰパケットからＴＳパケットへの変換は、規格書、例えば、ＩＳＯ／ＩＥＣ  １３８１８−１、ＩＳＯ／ＩＥＣ  １３８１８−６、ＥＴＳＩ／ＤＶＢ  ＥＮ３０１１９２に記載されている。
【００４２】
ＰＩＤ１が付与された複数のＴＳパケットは、順次出力される。このように送り出された約５秒分のＴＳパケット群を、バースト１０と呼ぶ。図１において、処理装置８から出力されるブロックＳ１は、バーストを示し、約５秒分のプレゼンテーションに相当するサービスＳ１のＴＳパケットが連続して含まれている。
【００４３】
続いて、バッファＢ２から期間Ｔｉｎに相当するサービスＳ２のＩＰパケット７が蓄積されれば、蓄積されたＩＰパケットは、処理部ＰＰ１に送られ、そこでＩＰパケットからＴＳパケットに変換されると共に、変換された各ＴＳパケットにパケットＩＤとしてＰＩＤ２を付与する。ＰＩＤ２が付与された複数のＴＳパケットは、順次出力される。処理装置８から出力されるブロックＳ２は、バーストを示し、約５秒分のプレゼンテーションに相当するサービスＳ２のＴＳパケットが連続して含まれている。
【００４４】
以下、同様にして、バースト毎に、異なったサービスのＴＳパケットが出力される、マルチプレクサ１２に送られる。
次に、低品質データについて説明する。平均伝送レート６４ｋｂｐｓにＭＰＥＧ４圧縮された動画と音声データは、高品質データと同様にして図１４に示す手順で、ＩＰパケット７ｂが生成される。従って、ＩＰパケット７ｂにもＲＴＰパケットが内在し、送受信間で同期を取るためのタイムスタンプＴｂが含まれている。
【００４５】
低品質エンコードされたＩＰパケット７ｂは、図１に示す処理装置９に入力される。処理装置９は、ひとつのバッファＢｚを有しており、すべてのコンテンツソースからのＩＰパケット７ｂを、送られてくる順番で蓄積する。もし、異なったコンテンツソースからのＩＰパケット７ｂの全部又は一部が重なるようなことがあれば、処理装置８と同様に複数のバッファを備えればよい。ただし、バッファの容量は、ひとつのＩＰパケット７ｂが蓄積できる容量で良い。送られてきたＩＰパケット７ｂは、処理部ＰＰ２に送られ、処理部ＰＰ１と同様にして、ＩＰパケットからＴＳパケットに変換される。変換されたＴＳパケットは、サービスに関わらず全て同じＰＩＤ、例えばＰＩＤＸが付与される。ＰＩＤＸは、ユニークなＰＩＤであり、ザッピング用のＴＳパケットであることを示す。処理装置９からのＴＳパケットは、マルチプレクサ１２に送られる。マルチプレクサ１２には、更にＰＳＩ生成器１８が接続されている。
【００４６】
なお、ここでは低品質データを伝送するＴＳパケットは、サービスに関わらず全て同じＰＩＤ、例えばＰＩＤＸが付与される、としたが、高品質データの伝送と同様にサービス毎に異なるＰＩＤを付与して伝送しても本発明の効果が損なわれることはない。
【００４７】
なお、低品質データの形式は、動画と音声の両方を含んだものに限らず、動画、静止画、音声、文字情報、のいずれかひとつ、またはそれらの組み合わせたものでもよい。
また、同時にサービスするバーストの数と平均伝送レートなどの条件に応じて、低品質データの形式を動的に決定してもよい。
【００４８】
ＰＳＩ生成器１８は、ＰＳＩ（プログラムスペシフィックインフォーメーション）を生成するものである。ＰＳＩには、ＰＡＴ（プログラムアソシエーションテーブル）、ＰＭＴ（プログラムマップテーブル）、ＣＡＴ（コンディショナルアクセステーブル）、ＮＩＴ（ネットワークインフォーメーションテーブル）が含まれる。各テーブルは、ひとつまたは複数のＴＳパケットに分割して収められる。本実施例では、コンディショナルアクセス機能は、本発明とは無関係なためCATに関する説明は省略する。これらのテーブルのデータ構造については、後で説明する。まず、マルチプレクサ１２について説明する。
【００４９】
図１５に示すように、マルチプレクサ１２は、処理装置８からの高品質のＴＳパケット、処理装置９からの低品質のＴＳパケット、ＰＳＩ生成器１８からのＰＳＩのＴＳパケットの３種類の入力を受け、これらを一本のストリームに組み込む。なお、ＰＡＴ，ＮＩＴのそれぞれについては、全てのサービスに対し、ひとつのテーブルが設定されるが、ＰＭＴについては、サービス毎に異なったテーブルが設定される。ＰＡＴ，ＰＭＴ，ＮＩＴが挿入される位置は、上記規格書に規定されている。低品質のＴＳパケットは、分散して挿入されるが、ひとつの低品質のＴＳパケットＳ１と、次の低品質のＴＳパケットＳ２との時間差Ｔｚ１は、約０．６５ｍｓｅｃである。また、ひとつの低品質のＴＳパケットＳ１と、次の同一サービスの低品質のＴＳパケットＳ１との時間差Ｔｚ２は、約２３．５ｍｓｅｃである。なお、この時間差Ｔｚ１，Ｔｚ２は、伝送レートが異なれば、変わってくる。マルチプレクサされたストリームは、伝送チャンネル１４として、送信機１３に渡され、送信機１３は伝送路に送出される。
【００５０】
次に、データ構造について説明する。
まず、ＴＳパケットのヘッダに含まれる、パケットＩＤ（ＰＩＤ）は、次のように定められる。
高品質のＴＳパケット：サービス毎に異るコードを含むＰＩＤ（高品質を表すコードを含ませても良い）
低品質のＴＳパケット：サービスに関係なく、同じＰＩＤ（低品質を表すコードを含ませても良い）
ＰＡＴのＴＳパケット：０Ｘ００００
ＰＭＴのＴＳパケット：サービス毎に異なるコードを含むＰＩＤ（ＰＭＴを表すコードを含ませても良い）
ＮＩＴのＴＳパケット：０Ｘ００１０
【００５１】
ＰＡＴには、サービス毎に設定されたプログラム番号の値と、サービス毎に設定されたＰＭＴのＰＩＤとが対になって示されている。このデータは、ＰＡＴの"program_number"のエリアと、"program_map_PID"のエリアにかけれている。例えば、５つのサービスＳ１，Ｓ２，Ｓ３，Ｓ４，Ｓ５がある場合、５つのＰＭＴが存在する。５つのＰＭＴのＰＩＤを、ＰＭＴ−ＰＩＤ１，ＰＭＴ−ＰＩＤ２、ＰＭＴ−ＰＩＤ３，ＰＭＴ−ＰＩＤ４、ＰＭＴ−ＰＩＤ５とした場合、ＰＡＴには表１で示す次の対応表のデータが含まれる。
【００５２】
表１
サービス      対応するＰＭＴのＰＩＤ
Ｓ１          ＰＭＴのＰＩＤ１
Ｓ２          ＰＭＴのＰＩＤ２
Ｓ３          ＰＭＴのＰＩＤ３
Ｓ４          ＰＭＴのＰＩＤ４
Ｓ５          ＰＭＴのＰＩＤ５
【００５３】
ＰＭＴには、そのＰＭＴ対応するサービスの高品質ＴＳパケットのＰＩＤが示されている。このデータは、ＰＭＴの"elementary_PID"エリアに書かれている。
従って、サービスが特定されれば、表１より、サービスに対応するＰＭＴのＰＩＤが特定され、ＰＭＴのＰＩＤにより、ＰＭＴが特定され、ＰＭＴが特定されれば高品質ＴＳパケットが特定される。
【００５４】
また、ＰＭＴには、デスクリプタが含まれる。デスクリプタには、サービス毎に設定されたプログラム番号の値と、サービスが送られるＩＰパケットのＩＰアドレスが対になって示される。例えば、ＰＭＴ−ＰＩＤ１で特定されるＰＭＴにはサービスＳ１のＩＰアドレスが対応付けされている。また、ＰＭＴ−ＰＩＤ２で特定されるＰＭＴにはサービスＳ２のＩＰアドレスが対応付けされている。このようにして、５つのＰＭＴから、サービスとＩＰアドレスの対応表を得ることができる。
なお、デスクリプタは、ＮＩＴに含むようにしても良い。
また、ＰＳＩの代わりに、ＳＩ（サービスインフォーメーション）を用いて、上記の情報を格納するようにしても良い。
また、ＰＳＩ生成器１８は、処理装置８に設け、高品質のＴＳパケットストリームに含めるようにしても良いし、または処理装置９に設け、低品質のＴＳパケットストリームに含めるようにしても良い。
【００５５】
図２に伝送チャンネル１４上でのデータ配置イメージを示した。実際は、ＳＩまたはＰＳＩも伝送されているが、一般的なデジタル放送と同様なため、図示を省略した。
このような構成の信号が伝送されるとき、受信方法について図を用いて説明する。図３は、本発明の伝送方式において、特にサービスＳ１の高品質データを受信した場合の電源制御を示す図である。
【００５６】
サービスＳ１の高品質データは、図３のようにバーストで送られる。受信機は、バースト受信を開始してからパケットを出力するまでに約２５０ｍｓかかるため、バースト受信開始の約２５０ｍｓ前に復調部の電源供給を開始し、バーストで伝送されたサービスＳ１の受信データを内部バッファに蓄積する。バースト伝送が終了した後は、復調部の電源供給を停止するが、再生部は、給電したまま再生に必要なレートで、バッファからデータを読み出しながらコンテンツを再生する。これにより、電力消費を抑えることができる。（以降、このように間欠受信している状態を間欠受信モードと呼ぶことにする。）
【００５７】
次に、ザッピング時の受信方法を説明する。図４は、本発明のザッピング受信時の受信方法を説明する図である。
今、時刻ｔ０において間欠受信モードでサービスＳ１を受信しており、時刻ｔ１でユーザがサービス選択ボタン等のユーザインタフェースを操作してＳ２にサービスを変更すると、受信部の電源をオンにし、ザッピングモードに入る。ＳＩまたはＰＳＩから得た、サービスとＰＩＤの対応表、およびサービスとＩＰアドレスの対応表を使って、受信機は低品質のＴＳパケットストリーム（ザッピング用ストリームとも言う）からＳ２の低品質データを取り出し、再生を開始する。同時にＳ２の高品質データバーストの受信を待ち受ける。
【００５８】
この状態で、時刻ｔ２にユーザ操作でＳ３が選局されると、受信機はザッピング用ストリームからＳ３の低品質データを取り出し、再生を開始する。同時にＳ３の高品質データバーストの受信を待ち受ける。さらに時刻ｔ３においてユーザ操作でＳ１が選局されると、受信機はザッピング用ストリームからＳ１の低品質データを取り出し、再生を開始し、Ｓ１の高品質データバーストの受信を待ち受ける。
【００５９】
ここまでの操作では、バーストデータ中に現在選局中の該当サービスのバースト先頭は検出されないため、何れの場合もザッピングモードのままである。
次に、時刻ｔ４にてユーザ操作でＳ４が選局されると、受信機はザッピング用ストリームからＳ４の低品質データを取り出し、再生を開始し、Ｓ４の高品質データバーストの受信を待ち受ける。時刻ｔ５で、サービス４のバーストが送信されると、直ちにサービスＳ４のバーストの受信を開始し、高品質データの再生を開始しバースト受信モードに移行し、時刻ｔ６から次のＳ４のバーストが送信される時刻ｔ７まで、受信部への電源供給を停止する。
【００６０】
なお、本実施の形態では、サービスと高品質のデータを伝送するＰＩＤのサービスとＰＩＤの対応表は、ＳＩまたはＰＳＩで伝送されるとしたが、対応表の伝送形式は、これに限るものではなく、バースト１０、トランスポートストリーム１１内で伝送してもよいし、通信回線を持つ受信機であれば通信回線で伝送してもよい。サービスと低品質データ伝送するＩＰアドレスの対応表も同様である。また、別のインターネット経路を用いても良い。
（変形例１）
【００６１】
次に、低品質データ再生から高品質データ再生（又はその逆）へのシームレスな切り替えについての変形例１について説明する。
図１に示すように、ＩＰパケット７ｂが生成される頻度は、ＩＰパケット７が生成される頻度よりも低い。なお、高品質用エンコーダと、低品質用エンコーダは、リアルタイムエンコーダであるので、ＩＰパケット７およびＩＰパケット７ｂが生成されるタイミングは、実際の映像が送り出されるタイミングと大略同じである。ここで、もし、高品質用エンコーダの内部時計ＣＬａと、低品質用エンコーダの内部時計ＣＬｂの間で、一方が他方よりもΔＴ進んでいる場合、又はΔＴ遅れている場合、同じ映像に対するタイムスタンプＴａとタイムスタンプＴｂとの間で、ΔＴの誤差が生じる。従って、高品質データの再生から低品質データの再生に切り替えを行った時、又は逆の切り替えを行った時、画像が非連続となる。この非連続な画像を、連続する画像、すなわちシームレスな画像に修正する変形例１について説明する。
【００６２】
図５は、図１に比べて、更にタイムスタンプオフセット検出部１６が設けられている。タイムスタンプオフセット検出部１６は、高品質データ用のＲＴＰヘッダに加えられたある画面のプレゼンテーションを示すタイムスタンプＴａと、低品質用のＲＴＰヘッダに加えられた同じ画面のプレゼンテーションを示すタイムスタンプＴｂとの時間差ΔＴをタイムスタンプオフセットとして検出する。この時間差ΔＴは、ＰＳＩ生成器１８に入力される。ＰＭＴのデスクリプタには、サービス毎に設定されたプログラム番号の値と、時間差ΔＴとが対になって示される。
【００６３】
この時間差ΔＴは、受信装置に送られ、受信装置では、低品質データのタイムスタンプＴｂにΔＴを加算又は減算して、高品質データと低品質データの映像の同期をとるようにする。または、高品質データのタイムスタンプＴａにΔＴを加算又は減算して、高品質データと低品質データの映像の同期をとるようにしても良い。
【００６４】
このような同期の取り方について図４を用いて説明する。時刻ｔ４にてユーザ操作でＳ４が選局されると、受信機はザッピング用ストリームからＳ４の低品質データを取り出し、再生を開始すると共に、Ｓ４の高品質データバーストの受信を待ち受ける。時刻ｔ５で、サービスＳ４のバーストが送信されると、直ちにサービスＳ４のバーストの受信を開始する。その後、高品質データのタイムスタンプＴａを時間差ΔＴで補正し、低品質データのタイムスタンプＴｂと等しくする。このようにして、修正されたタイミングで高品質データの再生を開始する。修正は、これから再生しようとする方のデータについて行う。
【００６５】
バーストの受信が完了すると、バースト受信モードに移行し、時刻ｔ６から次のＳ４のバーストが送信される時刻ｔ７まで、受信部への電源供給を停止しする。
この方法で、２つのストリームのタイムスタンプを同期させることができ、ザッピングモードの低品質データの再生から、間欠受信モードでの高品質データへのスムーズな再生への切り替えが可能となる。
【００６６】
なお、タイムスタンプは、ＩＰパケットに含まれるＲＴＰヘッダ内にあるタイムスタンプを用いたが、ＭＰＥＧのパケットを用いることも可能である。この場合は、ＭＰＥＧパケット内にあるタイムスタンプＰＣＲを用いればよい。
（変形例２）
【００６７】
次に、低品質データ再生から高品質データ再生（又はその逆）へのシームレスな切り替えについて別の変形例２について説明する。
図６は、図１に比べて、更にタイムスタンプ補正処理部１７が設けられている。タイムスタンプ補正処理部１７は、高品質データのある画面のタイムスタンプＴａと、その画面に対応する、低品質テータの画面のタイムスタンプＴｂとの時間差ΔＴをタイムスタンプオフセットとして検出する。更に、時間差ΔＴを用いていずれか一方のストリームのタイムスタンプをすべて補正し、基準クロックが両ストリームで等しくなるようにする。これにより、ＩＰパケット７とＩＰパケット７ｂとの間において、同じ画面については、同じタイムスタンプが付与されることになる。これにより、シームレスな画像の切り替えが可能になる。
（変形例３）
【００６８】
実施の形態１のザッピング用データの伝送に対する変形例３について図７を用いて説明する。変形例３では、ザッピング用データとして静止画と音声を伝送する。
図７は、伝送チャンネル１４上のデータ配置イメージを示した。図中の１０はサービス１〜５の高品質データが伝送されているタイムスライスで、動画と音声の平均伝送レート３５０ｋｂｐｓにＭＰＥＧ４圧縮を施したものである。図中の１１ｓ１，１１ｓ２，１１ｓ３，１１ｓ４，１１ｓ５は、ザッピング用の低品質データである。各サービスの各タイムスライスで伝送される動画を代表する約２ｋｂｙｔｅの静止画像と、高品質データの１つのタイムスライスで伝送される音声を約８ｋｂｐｓに圧縮した約５秒間分の音声データがパッケージで伝送されているものである。なお、静止画像は、番組タイトルなどの文字情報であってもよい。
【００６９】
タイムスライスで伝送するサービスの数が、ＤＶＢ−Ｔ標準の信号と混在して伝送するような場合は、この例のように数個程度となるため、平均伝送レート６４ｋｂｐｓのザッピングストリーム１１の中の１つのタイムスライス持続時間（約１３０ｍｓｅｃ）内で、１１ｓ１〜１１ｓ５全てのサービスの低品質データパッケージを伝送することが出来る。
受信機は、タイムスライス受信と同時に他のサービスの全てのザッピング用低品質データパッケージを受信出来るため、復調部の電源を常時ＯＮにすることなく、待ち時間なしに、静止画と音声を表示することができる。
（実施の形態２）
【００７０】
本発明の伝送方式に関する別の実施の形態について、図８を用いて説明する。
図８は、本発明の送信信号の生成を説明する図である。図８は、図１と比べ、処理装置９の出力が、マルチプレクサ１２の代わりに処理装置８に入力され、処理装置８には、更にバッファＢ６が加えられている点で、異なる。
処理装置９から出力された低品質のＴＳパケットストリーム１１は、約５秒間分がバッファ６に加えられ、ひとつのバースト１５として処理装置８から出力される。言うまでもなく、バースト１５には、低品質のＴＳパケットストリーム１１に相当する、同じＰＩＤアドレスが付与されたザッピング用のＴＳパケット群Ｓ０が含まれる。
【００７１】
ザッピング用バースト１５のセクションには、対応する高品質バーストが送信されるタイミングを示す時間情報が付与される。複数のバースト１０とザッピング用バースト１５は、順にバースト伝送され、マルチプレクサ１２に送られる。マルチプレクサ１２では、ＰＳＩ生成器１８で生成された４種類のテーブルＰＡＴ，ＰＭＴ，ＣＡＴ，ＮＩＴとマルチプレクスされる。
すなわち伝送チャンネルは、サービス毎にバーストを構成した高品質データと、１つのザッピング用低品質データのバーストから構成される。
【００７２】
このような構成の信号が伝送されるとき、受信機における受信方法について図を用いて説明する。
図９に伝送チャンネル１４上でのデータ配置イメージを示す。実際は、ＳＩ又はＰＳＩも伝送されているが、一般的なデジタル放送と同様なため、図示を省略した。
【００７３】
図１０は、本実施の形態のザッピング受信時の受信方法を説明する図である。
今、時刻ｔ０において間欠受信モードでサービスＳ１を受信しており、時刻ｔ１でユーザがサービス選択ボタン等のユーザインタフェースを操作してＳ２にサービスを変更すると、受信部の電源をオンにし、ザッピングモードに入る。
この時点でザッピングバースト１５が送信されていないため、時刻ｔ２でザッピング用バースト１５が受信出来るまでＳ１を再生する。ザッピングバースト１５を受信した後、ＳＩまたはＰＳＩから得た、サービスとＰＩＤの対応表、およびサービスとＩＰアドレスの対応表を使って、Ｓ２が選択されている間、受信機はザッピング用バースト１５からＳ２の低品質データを取り出し、再生を開始する。同時にＳ２の高品質データバーストの受信を待ち受ける。
【００７４】
この状態で、時刻ｔ３にユーザ操作でＳ３が選局されると、受信機はザッピング用ストリームからＳ３の低品質データを取り出し、再生を開始する。同時にＳ３の高品質データバーストの受信を待ち受ける。
ここまでの操作では、バーストデータ中に現在選局中の該当サービスのバースト先頭は検出されないため、何れの場合もザッピングモードのままである。
次に、時刻ｔ４にてユーザ操作でＳ４が選局されると、受信機はザッピング用バースト１５からＳ４の低品質データを取り出し、再生を開始し、Ｓ４の高品質データバーストの受信を待ち受ける。時刻ｔ５で、サービス４のバーストが送信されていることを検出すると、直ちにサービス４のバーストの受信を開始し、高品質データの再生を開始し、バースト受信モードに移行する。時刻ｔ６から次のＳ４のバーストが送信される時刻ｔ７まで、受信部への電源供給を停止する。
【００７５】
なお、この例でも低品質なデータは、高品質データを高圧縮したデータでもよいし、コンテンツに関連する静止画と音声または、音声のみであっても同様の効果が得られることは、いうまでもない。
なお、本実施の形態では、サービスと高品質のデータを伝送するＰＩＤのサービスとＰＩＤの対応表は、ＳＩまたはＰＳＩで伝送されるとしたが、対応表の伝送形式は、これに限るものではなく、バースト１０、トランスポートストリーム１１内で伝送してもよいし、通信回線を持つ受信機であれば通信回線、たとえばインターネット通信回線、で伝送してもよい。サービスと低品質データの伝送ＩＰアドレスの対応表も同様である。
【００７６】
この伝送方式だと、ザッピング期間中も間欠受信を行っているため実施の形態１に比べ低消費電力効果が高い。
しかし、ザッピングを開始した直後は、ザッピング用バースト受信までの間待たなければならないが、ザッピング中の再度のチャンネル切り替えは、即座に切り替えることが可能である。
（実施の形態３）ザッピングデータのバースト内伝送（静止画と音声の伝送）
【００７７】
実施の形態３は、実施の形態１のザッピング用データの伝送について改良したもので、図１２，図１３を用いて説明する。
本実施例の図１２は、伝送チャンネル１４上のデータ配置イメージを示した。
図中の１０はサービス１〜５の高品質データが伝送されているタイムスライスで、動画と音声の平均伝送レート３５０ｋｂｐｓにＭＰＥＧ４圧縮を施したものである。１１ｓ１，１１ｓ２，１１ｓ３，１１ｓ４，１１ｓ５は、ザッピング用低品質データで、各サービスの各タイムスライスで伝送される動画を代表する静止画像１０ｋｂｙｔｅと、高品質データの１つのタイムスライスで伝送される音声を約８ｋｂｐｓに圧縮した約２５秒間分の音声データがパッケージで伝送されているものである。
【００７８】
ザッピング用データは、各サービスタイムスライスの中に、１つのみ多重伝送される。
図１２において、サービス１を選局し、受信しているとすると、最初の５秒間でサービス１のザッピングデータ、次の５秒間でサービス２のザッピングデータ、次の５秒間でサービス３のザッピングデータ、次の５秒間でサービス４のザッピングデータ、更に次の５秒間でサービス５のザッピングデータを受け留ことができる。このように、同じタイムスライスを２５秒以上連続して受信すれば、２５秒間かけて全てのサービス用ザッピングデータが受信できるようになっている。
【００７９】
図１３は、ザッピングデータの別の配置を示す図で、５秒ごとにあるサービスタイムスライスの中のザッピングデータがひとつずつずれている。図１３も同様に、同じタイムスライスを２５秒以上連続して受信すれば、２５秒間かけて全てのサービス用ザッピングデータが受信できるようになっている。
受信機は、タイムスライスを受信する度に、内部のザッピング用データ保持領域（ザッピングバッファ）のデータを更新し続ける。ユーザ操作等によってザッピングが始まると、ザッピングバッファのデータを再生することができ、復調部の電源を常時ＯＮにすることなく、待ち時間なしに、静止画と音声を表示することができる。
【００８０】
なお、ＩＰパケットのＩＰアドレスは、受信側が低品質データと高品質データを区別なく処理可能なように、サービス毎に異なるアドレスを割り振るのが望ましい。コンテンツが同じである例えばＳ１−ａ、Ｓ１−ｂのＩＰパケットは、同一のＩＰアドレスを付与することが望ましい。しかしながら、コンテンツが同一の高品質データと低品質データを搬送するＩＰパケットのＩＰアドレスは、異なるアドレスを使用しても差し支えない。
また、ザッピングストリームが複数ある（テキスト型ザッピングストリームと、静止画型ザッピングストリーム等）場合には、ＰＭＴ内のザッピングストリームに関する情報を複数記述してもよい。
（複数チャンネルのザッピングデータ伝送）
【００８１】
これまでの例は、ザッピングストリームは、ひとつのチャンネル内にある複数のサービスに対応したザッピングストリームについて説明したが、複数のチャンネルが伝送され、それぞれのチャンネルにおいてザッピングストリームが含まれる場合についても、同様の効果が得られる。
さらに、複数の伝送チャンネルを使用してサービスを受信する場合、第１のチャンネルで伝送されているサービスのザッピングデータを、第２のチャンネル内におけるザッピングストリームに多重して伝送すれば、第２のチャンネルに含まれるザッピングストリームを用いれば、第２のチャンネルを受けているときであっても、第１のチャンネルに含まれるザッピングデータも見ることができる。
【産業上の利用可能性】
【００８２】
本発明は、デジタルデータ放送の伝送方式に利用可能である。
【図面の簡単な説明】
【００８３】
【図１】本発明の第１の実施形態における送信方法を説明する図である。
【図２】本発明の第１の実施形態における伝送チャンネル１４上でのデータ配置イメージを示す図である。
【図３】本発明の第１の実施形態における電源制御動作を示す図である。
【図４】本発明の第１の実施形態におけるストリームのザッピング受信時の受信方法を説明する図である。
【図５】本発明の第１の実施形態の変形例１における送信方法を説明する図である。
【図６】本発明の第１の実施形態の変形例２における送信方法を説明する図である。
【図７】本発明の第１の実施形態に変形例３における伝送方法を説明する図である。
【図８】本発明の第２の実施形態における送信方法を説明する図である。
【図９】本発明の第２の実施形態における伝送チャンネル１４上でのデータ配置イメージを示す図である。
【図１０】本発明の第２の実施形態におけるストリームをザッピング受信時の受信方法を説明する図である。
【図１１】本発明の従来の実施例を説明する図である。
【図１２】本発明の第３の実施形態における送信方法を説明する図である。
【図１３】本発明の第３の実施形態におけるザッピングデータの別の配置を示す図である。
【図１４】ＩＰパケットからＴＳパケットへの変換を示す図である。
【図１５】マルチプレクサによりマルチプレクスされる様子を示す図である。
【符号の説明】
【００８４】
１  ヘッドエンド
２〜６  サービスＳ１〜Ｓ５のコンテンツソース
７，７ｂ  ＩＰパケット
８  プロセッサ１
９  プロセッサ２
１０  バーストデータ
１１  低品質データが多重されたトランスポートストリーム
１１ｓ１〜１１ｓ５  低品質データパッケージ
１２  多重装置
１３  送信機
１４  伝送チャンネル
１５  ザッピング用バースト
１６  タイムスタンプオフセット検出部
１７  タイムスタンプ補正処理部
【図１】
0004423263.tif 000002
【図２】
0004423263.tif 000003
【図３】
0004423263.tif 000004
【図４】
0004423263.tif 000005
【図５】
0004423263.tif 000006
【図６】
0004423263.tif 000007
【図７】
0004423263.tif 000008
【図８】
0004423263.tif 000009
【図９】
0004423263.tif 000010
【図１０】
0004423263.tif 000011
【図１１】
0004423263.tif 000012
【図１２】
0004423263.tif 000013
【図１３】
0004423263.tif 000014
【図１４】
0004423263.tif 000015
【図１５】
0004423263.tif 000016